(57)【特許請求の範囲】
【請求項１】
ケース内に貨幣の投入を受け付けて処理する機構が組み込まれた台間機本体と、隣合う遊戯機間の隙間に介在させて固定される支持枠体とから成り、前記支持枠体は、上下の水平フレームと、各水平フレームの後端部間に連結された垂直フレームとで構成されるとともに、上下の水平フレームの対向する面に前端面が開放したガイド溝がそれぞれ形成され、前記台間機本体は、前記上下の水平フレームの開放端よりガイド溝内へ上端部および下端部がそれぞれ挿入されて支持枠体内に嵌め込まれて成る遊戯機用台間機において、
前記台間機本体の上端部および下端部は、前記ケースの上端面および下端面に被せられ一側縁が解放側縁に形成された上板部および下板部により構成され、前記上板部は、前記解放側縁に２個の係合突片が上向きに屈曲して形成されると共に、各係合突片を挟む前後位置に前記解放側縁を切り欠いた切欠部がそれぞれ形成されており、
前記支持枠体の上下の水平フレームのガイド溝内へ台間機本体の上端部および下端部がそれぞれ挿入されて台間機本体が支持枠体内に嵌め込まれたとき、上側の水平フレームにより前記上板部の各係合突片が下方へ押圧されて弾性変形した状態で、各係合突片の上端が水平フレームに突き当たるように、下板部からの各係合突片の上端の高さが設定されて成る遊戯機用台間機。
【発明の詳細な説明】
【０００１】
【産業上の利用分野】
この発明は、パチンコ機やスロットマシンなどの遊戯機が多数台設置されたパチンコホールなどの遊戯場において、各遊戯機に隣接して配置される遊戯機用台間機に関する。
【０００２】
【従来の技術】
一般にパチンコホールのような遊戯場には、パチンコ機，スロットマシンなどの多数台の遊戯機が整列状態で配置されている。各遊戯機には、パチンコ球や遊戯用メダルのような遊戯媒体を貸し出すための台間機が隣接してそれぞれ配設されており、対をなす遊戯機と台間機との間を電気接続して、信号のやり取りを行うようになっている。
【０００３】
各台間機は、図９に示すように、隣合う遊戯機間に介在させて固定される支持枠体１０１と、この支持枠体１０１内に嵌め込まれて支持される台間機本体１０２とから成る。前記支持枠体１０１を構成する上下の水平フレーム１０７，１０８には、前端面が開放されたガイド溝１０９，１１０が対向して設けられており、各ガイド溝１０９，１１０に沿って台間機本体１０２が支持枠体１０１内に挿脱可能となっている。
【０００４】
前記台間機本体１０２の前面には、紙幣の投入を受け付ける貨幣受付部１０３と、プリペイドカードＭの発行や受付けを行うためのカード出入口１０４とが設けられ、台間機本体１０２の内部には、前記貨幣受付部１０３の内側位置に貨幣処理機構１０５が、またカード出入口１０４の内側位置にカード処理機構１０６が、それぞれ組み込まれている。なお、前記プリペイドカードＭは、遊戯媒体を台間機より貸し受けるために用いられる。
【０００５】
【発明が解決しようとする課題】
しかしながら、従来の台間機では、前記支持枠体１０１の上下の水平フレーム１０７，１０８間の高さＨ１と、台間機本体１０２の高さＨ２との間に寸法誤差があると、台間機本体１０２を支持枠体１０１へ嵌め込むのに支障が生じたり、台間機本体１０２と支持枠体１０１との間に小間隙が生じて台間機本体１０２ががたついたりするなどのおそれがある。
このような不都合を解消するには、前記した各高さＨ１，Ｈ２の寸法精度を高める必要があるが、支持枠体１０１および台間機本体１０２の製作条件が厳しくなり、製作に手数を要する上に、製作費用の高騰を招く結果となる。
【０００６】
この発明は、上記問題に着目してなされたもので、支持枠体や台間機本体に上下方向の寸法誤差があっても、台間機本体を支持枠体に安定して支持でき、しかも製作条件を殊さら厳しくする必要のない遊戯機用台間機を提供することを目的とする。
【０００７】
【課題を解決するための手段】
この発明による遊戯機用台間機は、ケース内に貨幣の投入を受け付けて処理する機構が組み込まれた台間機本体と、隣合う遊戯機間の隙間に介在させて固定される支持枠体とから成り、前記支持枠体は、上下の水平フレームと、各水平フレームの後端部間に連結された垂直フレームとで構成されるとともに、上下の水平フレームの対向する面に前端面が開放したガイド溝がそれぞれ形成され、前記台間機本体は、前記上下の水平フレームの開放端よりガイド溝内へ上端部および下端部がそれぞれ挿入されて支持枠体内に嵌め込まれて成るものである。前記台間機本体の上端部および下端部は、前記ケースの上端面および下端面に被せられ一側縁が解放側縁に形成された上板部および下板部により構成され、前記上板部は、前記解放側縁に２個の係合突片が上向きに屈曲して形成されると共に、各係合突片を挟む前後位置に前記解放側縁を切り欠いた切欠部がそれぞれ形成されている。前記支持枠体の上下の水平フレームのガイド溝内へ台間機本体の上端部および下端部がそれぞれ挿入されて台間機本体が支持枠体内に嵌め込まれたとき、上側の水平フレームにより前記上板部の各係合突片が下方へ押圧されて弾性変形した状態で、各係合突片の上端が水平フレームに突き当たるように、下板部からの各係合突片の上端の高さが設定されている。
【００１０】
【作用】
支持枠体の上下の水平フレームに対し、台間機本体の上端部および下端部を開放端より各ガイド溝へそれぞれ挿入して、支持枠体内へ台間機本体を嵌め込むことにより、台間機が組み立てられる。このとき台間機本体の上端部を構成する上板部に、少なくとも２個の係合突片を設け、各係合突片を挟む前後位置に上板部の解放側縁を切り欠いた切欠部を形成したので、各係合突片が支持枠体の上側の水平フレームに押圧されて前後位置の切欠部で弾性変形し、各係合突片の復元力が上側の水平フレームに作用する。このため支持枠体と台間機本体との間に高さ方向の寸法誤差があっても、その寸法誤差は各係合突片の弾性変形により吸収され、台間機本体は支持枠体内に安定して支持される。
【００１３】
【実施例】
図１は、この発明の一実施例である遊戯機用台間機の外観を、また図２は、図１の台間機の組立構造を、それぞれ示す。
図示例の台間機は、パチンコホールなどの遊戯場において、パチンコ機やスロットマシンなどの遊戯機に隣接して配置されるものであって、各遊戯機の一側面、すなわち隣合う遊戯機間の隙間に介在させて固定される支持枠体１と、この支持枠体１内に嵌め込まれる台間機本体２とで構成される。
【００１４】
前記支持枠体１は、金属枠材により側面形状がコ字形に形成されたものであり、上下の水平フレーム３，４と、各水平フレーム３，４の後端部間に連結された垂直フレーム５とで構成される。
上下の水平フレーム３，４の対向する面には、前端面が開放したガイド溝６，７が、また垂直フレーム５の前面には、上端面および下端面が開放した凹溝８が、それぞれ全長にわたって形成され、前記凹溝８の上下端と上下の水平フレーム３，４のガイド溝６，７の後端とは互いに連通している。
【００１５】
前記台間機本体２は、前面が開放された縦長ケース９と、このケース９の前面の開放部を塞ぐ前面パネル１０と、前記ケース９の上端面および下端面に被せられる上板部１１および下板部１２とから成り、前記前面パネル１０には、表示ランプ１３，縦長スリット状の貨幣受付口１４，操作スイッチ１５，開閉可能な防塵カバー１８で覆われたカード出入口１６，情報表示部１７などが設けられている。
【００１６】
前記表示ランプ１３は、台間機本体２の動作状態を報知するためのものであり、正常動作時は消灯し、異常発生時は点滅または点灯する。
前記貨幣受付口１４は、紙幣（この実施例では、千円紙幣）を受け付ける部分であり、この貨幣受付口１４の内側には、紙幣を内部に取り込んでその真偽判別および金種判別を行った上でストックする紙幣処理機構１９が設けられている。
【００１７】
前記カード出入口１６は、前記貨幣受付口１４へ千円紙幣が投入されたときは、プリペイドカードＭを発行し、またこの発行したプリペイドカードＭや他の台間機やカード発行機（図示せず）で発行されたプリペイドカードＭが投入されたときは、これを受け付ける部分である。このカード出入口１６の内側には、プリペイドカードＭの搬出入を行うための機能，プリペイドカードＭに対する所定の情報を読み書きする機能，金額価値がゼロのプリペイドカードＭを取り込む機能などを備えたカード処理機構２０が設けられている。
前記防塵カバー１８は、カード出入口１６の上方，前方，および両側方を覆っており、塵芥の進入を防止すると共に、カード出入口１６より突出したプリペイドカードＭを保護する。
【００１８】
前記操作スイッチ１５は、カード出入口１６から送り出されたプリペイドカードＭをそのまま投入する際に使用される。この操作スイッチ１５を押操作すると、この台間機で発行されたプリペイドカードＭは逆戻りしてカード処理機構２０内に取り込まれる。
前記情報表示部１７は、貨幣受付口１４で受け付けられた紙幣の金額を表示する他、この台間機におけるカードの総売上などの情報を適宜表示する。
【００１９】
この台間機の前記上板部１１は、その一側縁が解放側縁１１ａに形成されており、この解放側縁１１ａには２個の係合突片２１，２１が上向きに屈曲して形成されている。また各係合突片２１，２１を挟む前後位置には、前記解放側縁１１ａを切り欠いた切欠部２２，２２がそれぞれ形成されている。
【００２０】
各係合突片２１は、図３に示すように、上端の高さレベルＬ１が支持枠体１のガイド溝６の溝底の高さレベルＬ２よりやや上方に位置するよう各係合突片２１の屈曲量が設定されており、従って支持枠体１の上下の水平フレーム３，４に対し、台間機本体２の上端部および下端部を開放端より各ガイド溝６，７へそれぞれ挿入して、支持枠体１内へ台間機本体２を嵌め込んだとき、図４に示すように、各係合突片２１，２１は、支持枠体１の上側の水平フレーム３に押圧されて弾性変形した状態で、それぞれの上端が水平フレーム３に突き当たっている。
なお、図示例では、係合突片２１を上板部１１の前後対称位置に２箇所形成してあるが、これに限らず、その数をさらに増してもよい。
【００２１】
図５および図６は、他の実施例である遊戯機用台間機の外観および組立構造を示す。
図示例の遊戯機用台間機では、支持枠体１の上側の水平フレーム３のガイド溝６の溝底に、水平フレーム３の板面の一部を前後対称位置で下向きに切り起こすことにより、２個の係合突片３１，３１が屈曲形成されている。
【００２２】
各係合突片３１は、図７に示すように、後方に向けて斜め下方へ突出し、先端の高さレベルＬ１が台間機本体２の上端面の高さレベルＬ２よりやや下方に位置するよう各係合突片３１の屈曲量が設定されている。
従って支持枠体１の上下の水平フレーム３，４に対し、台間機本体２の上端部および下端部を開放端より各ガイド溝６，７へそれぞれ挿入して、支持枠体１内へ台間機本体２を嵌め込んだとき、図８に示すように、各係合突片３１，３１は、台間機本体２の上端面に押圧されて弾性変形した状態で、それぞれの先端が台間機本体２に突き当たっている。
【００２３】
図１の実施例の台間機を組み立てるには、支持枠体１の上下の水平フレーム３，４に対し、台間機本体２の上端部および下端部を前面の開放端より各ガイド溝６，７へそれぞれ挿入して、支持枠体１内へ台間機本体２を嵌め込む。このとき台間機本体２の上端面には、２個の係合突片２１，２１が設けてあり、さらに、各係合突片２１を挟む前後位置に上板部１１の解放側縁１１ａを切り欠いた切欠部２２がそれぞれ形成してあるので、各係合突片２１は支持枠体１の上側の水平フレーム３に押圧されて前後位置の切欠部２２，２２間で弾性変形し、各係合突片２１の復元力が上側の水平フレーム３に作用する。このため上下のガイド溝６，７の溝底間の高さＨ１と台間機本体２の高さＨ２との間に高さ方向の寸法誤差があっても、その寸法誤差は各係合突片２１の弾性変形により吸収され、台間機本体２は支持枠体１の内部に安定して支持される。
【００２４】
図５の実施例の台間機の場合は、支持枠体１内へ台間機本体２を嵌め込むと、支持枠体１の上側の水平フレーム３に２個の係合突片３１，３１が形成してあるので、各係合突片３１が台間機本体２の上端面に押圧されて弾性変形し、各係合突片３１の復元力が台間機本体２に作用する。このため支持枠体１の上下の水平フレーム３，４間の高さＨ１と台間機本体２の高さＨ２との間に高さ方向の寸法誤差があっても、その寸法誤差は各係合突片３１の弾性変形により吸収され、台間機本体２は支持枠体１の内部に安定して支持される。
【００２５】
【発明の効果】
この発明によれば、支持枠体内に嵌め込まれる台間機本体の上板部に、少なくとも２個の係合突片を形成したから、各係合突片が支持枠体の上側の水平フレームに押圧されて弾性変形し、各係合突片の復元力が上側の水平フレームに作用することになる。このため、たとえ支持枠体と台間機本体との間に高さ方向の寸法誤差があっても、その寸法誤差は各係合突片の弾性変形により吸収され、台間機本体は支持枠体の内部に安定して支持される。従って台間機の製作条件を殊さら厳しくする必要がなく、台間機の製作手数を軽減でき、製作コストの低減を実現できる。
【００２６】
また、上板部の一側縁の解放側縁に少なくとも２個の係合突片を屈曲して形成すると共に、各係合突片を挟む前後位置に前記解放側縁を切り欠いた切欠部をそれぞれ形成したから、各係合突片は前後位置の切欠部間で弾性変形することになり、各係合突片の弾性変形が無理なく行われ、台間機本体の支持枠体への挿脱が容易となる。
【図面の簡単な説明】
【図１】この発明の一実施例である遊戯機用台間機の外観を示す斜視図である。
【図２】図１の遊戯機用台間機の組立構造を示す分解斜視図である。
【図３】支持枠体に対する台間機本体の組立状態を示す要部の拡大側面図である。
【図４】図１のＡ−Ａ線に沿う断面図である。
【図５】この発明の他の実施例である遊戯機用台間機の外観を示す斜視図である。
【図６】図５の遊戯機用台間機の組立構造を示す分解斜視図である。
【図７】支持枠体に対する台間機本体の組立状態を示す要部の拡大側面図である。
【図８】図５のＢ−Ｂ線に沿う断面図である。
【図９】従来の遊戯機用台間機の組立構造を示す分解斜視図である。
【符号の説明】
１    支持枠体
２    台間機本体
３，４  水平フレーム
６，７  ガイド溝
１１  上板部
１１ａ  解放側縁
２１，３１  係合突片
２２  切欠部
【図１】
0003862796.tif 000002
【図２】
0003862796.tif 000003
【図３】
0003862796.tif 000004
【図４】
0003862796.tif 000005
【図５】
0003862796.tif 000006
【図６】
0003862796.tif 000007
【図７】
0003862796.tif 000008
【図８】
0003862796.tif 000009
【図９】
0003862796.tif 000010